(57)【要約】  流量計（５）を動作させるための方法と装置が提供される。前記プロセス流体が流量計（５）内に置かれる。前記プロセス流体の測定された質量流量（２２１）が決定される。前記プロセス流体が合計される。第１の流量計パラメータが測定される。前記第１の流量計パラメータが所定の閾値から所定値だけ異なる場合に、測定された質量流量（２２１）がゼロに設定され、前記第１の流量計パラメータが所定の閾値から所定値だけ異なる場合に、合計が停止される。
2020530559.tif 000002
【特許請求の範囲】
【請求項１】
流量計を動作させるための方法であって、
前記流量計にプロセス流体を流すステップと、
前記プロセス流体の質量流量を測定するステップと、
前記流量計を流れる前記プロセス流体を合計するステップと、
第１の流量計パラメータを測定するステップと、
前記第１の流量計パラメータが所定の閾値と所定値だけ異なる場合に、前記測定された質量流量をゼロに設定するステップと、
前記第１の流量計パラメータが所定の閾値と所定値だけ異なる場合に、合計を停止するステップと
を含む、方法。
【請求項２】
第２の流量計パラメータを測定するステップを含み、
前記第１の流量計パラメータが所定の閾値と所定値だけ異なる場合に、前記測定された質量流量をゼロに設定する前記ステップが、前記第１の流量計パラメータおよび前記第２の流量計パラメータが各々、それぞれの所定の閾値とそれぞれの所定値だけ異なる場合に、測定された質量流量をゼロに設定するステップを含み、
前記第１の流量計パラメータが所定の閾値と所定値だけ異なる場合に、合計を停止する前記ステップが、前記第１の流量計パラメータおよび前記第２の流量計パラメータが各々、それぞれの所定の閾値とそれぞれの所定値だけ異なる場合に、測定された質量流量をゼロに設定するステップを含む、請求項１に記載の方法。
【請求項３】
前記第１の流量計パラメータまたは前記第２の流量計パラメータが駆動電流を含む、請求項１または２に記載の方法。
【請求項４】
前記第１の流量計パラメータまたは前記第２の流量計パラメータがデルタｔを含む、請求項１または２に記載の方法。
【請求項５】
前記第１の流量計パラメータまたは前記第２の流量計パラメータが、第１のピックオフセンサーと第２のピックオフセンサーとの間の電圧差を含む、請求項１または２に記載の方法。
【請求項６】
前記第１の流量計パラメータまたは前記第２の流量計パラメータが、第１のピックオフセンサーと第２のピックオフセンサーとの間で測定され計算された流管質量差を含む、請求項１または２に記載の方法。
【請求項７】
前記第１の流量計パラメータまたは前記第２の流量計パラメータが、第１のピックオフセンサーと第２のピックオフセンサーとの間で測定され計算された管剛性差を含む、請求項１または２に記載の方法。
【請求項８】
前記第１の流量計パラメータまたは前記第２の流量計パラメータが密度を含む、請求項１または２に記載の方法。
【請求項９】
前記第１の流量計パラメータまたは前記第２の流量計パラメータが駆動ゲインを含む、請求項１または２に記載の方法。
【請求項１０】
プロセス流体を受け取るように構成された流量計（５）の計器エレクトロニクス（２０）であって、前記流量計（５）の流量計アセンブリと通信し、振動応答を受信するように構成されたインターフェース（２０１）と、前記インターフェース（２０１）に結合された処理システム（２０３）と、を含み、
前記処理システム（２０３）が、
前記流量計（５）内の前記プロセス流体の測定された質量流量（２２１）を決定し、
前記プロセス流体を合計し、
第１の流量計パラメータを測定し、
前記第１の流量計パラメータが所定の閾値と所定値だけ異なる場合に、測定された質量流量（２２１）をゼロに設定し、
前記第１の流量計パラメータが所定の閾値と所定値だけ異なる場合に、合計を停止するように構成されている、計器エレクトロニクス（２０）。
【請求項１１】
前記偽合計ルーチン（２１７）が、
第２の流量計パラメータを測定するようにさらに構成され、
前記第１の流量計パラメータが所定の閾値と所定値だけ異なる場合に、測定された質量流量をゼロに設定することが、前記第１の流量計パラメータおよび前記第２の流量計パラメータが各々、それぞれの所定の閾値とそれぞれの所定値だけ異なる場合に、測定された質量流量をゼロに設定することを含み、
前記第１の流量計パラメータが所定の閾値と所定値だけ異なる場合に、合計を停止することが、前記第１の流量計パラメータおよび前記第２の流量計パラメータが各々、それぞれの所定の閾値とそれぞれの所定値だけ異なる場合に、測定された質量流量をゼロに設定することを含む、請求項１０に記載の計器エレクトロニクス（２０）。
【請求項１２】
前記第１の流量計パラメータまたは前記第２の流量計パラメータが駆動電流を含む、請求項１０または１１に記載の計器エレクトロニクス（２０）。
【請求項１３】
前記第１の流量計パラメータまたは前記第２の流量計パラメータがデルタｔを含む、請求項１０または１１に記載の計器エレクトロニクス（２０）。
【請求項１４】
前記第１の流量計パラメータまたは前記第２の流量計パラメータが、第１のピックオフセンサー（１０５）と第２のピックオフセンサー（１０５’）との間の電圧差を含む、請求項１０または１１に記載の計器エレクトロニクス（２０）。
【請求項１５】
前記第１の流量計パラメータまたは前記第２の流量計パラメータが、第１のピックオフセンサー（１０５）と第２のピックオフセンサー（１０５’）との間で測定され計算された流管質量差を含む、請求項１０または１１に記載の計器エレクトロニクス（２０）。
【請求項１６】
前記第１の流量計パラメータまたは前記第２の流量計パラメータが、第１のピックオフセンサー（１０５）と第２のピックオフセンサー（１０５’）との間で測定され計算された管剛性差を含む、請求項１０または１１に記載の計器エレクトロニクス（２０）。
【請求項１７】
前記第１の流量計パラメータまたは前記第２の流量計パラメータが密度を含む、請求項１０または１１に記載の計器エレクトロニクス（２０）。
【請求項１８】
前記第１の流量計パラメータまたは前記第２の流量計パラメータが駆動ゲインを含む、請求項１０または１１に記載の計器エレクトロニクス（２０）。
【発明の詳細な説明】
【技術分野】
【０００１】
本発明は、流量計装置および方法に関し、より具体的には、偽合計を低減および／または除去するための流量計装置および方法に関する。
【背景技術】
【０００２】
コリオリ質量流量計や振動密度計などの振動導管センサーは、通常、流れる原料(material)を含む振動導管の動きを検出することで動作する。例えば、質量流量、密度など、導管内の原料に関連する特性は、導管に付随する動き変換器から受信した測定信号を処理することで決定できる。振動原料が充填されたシステムの振動モードは、一般に、収容導管とその中に収容された原料の結合質量、剛性および減衰特性の影響を受ける。
【０００３】
通常のコリオリ質量流量計には、パイプラインまたは他の輸送システムにインラインにて接続され、システム内で例えば流体、スラリー、エマルジョンなどの原料を運ぶ１つ以上の導管（流管とも呼ばれる）が含まれる。各導管は、例えば単純曲げモード、ねじれモード、放射状モード、結合モードなどの一連の固有振動モードを有していると見なすことができる。通常のコリオリ質量流量測定用途では、原料が導管を流れるときに導管が１つ以上の振動モードで励起され、導管の動きが導管に沿って間隔を空けた点で測定される。励起は、通常、導管を周期的に摂動させるボイスコイル型アクチュエータなどの電気機械装置などのドライバにより提供される。質量流量は、変換器の位置での動き間の時間遅延または位相差を測定することで決定できる。２つ以上のこのような変換器（またはピックオフセンサー）は、通常、流導管の振動応答を測定するために使用され、通常、ドライバの上流および下流の位置に配置される。計装は、ピックオフセンサーから信号を受信し、信号を処理して質量流量測定値を導き出す。
【０００４】
流量計を使用して、多種の流体流れに対して質量流量測定を実行できる。コリオリ流量計を使用できる可能性のある分野の１つには、オイルおよび／またはガスに限らず、例えば水と空気、および／または固体などの他の成分も含む多相流れを含むプロセスがある。もちろん、このような多相流れであっても、結果として生じる計量が、できる限り正確であることが非常に望ましい。コリオリ流量計は、単相流れに対して高精度を提供する。ただし、コリオリ流量計を使用して、通気された流体または混入ガスを含む流体を測定すると、計器の精度が著しく低下する可能性がある。これは、炭化水素流体に水が含まれる場合などのように、固体が混入した流れ及び混相流体の流れに同様に当てはまる。
【０００５】
流量ゼロ時の偽合計は、コリオリ流量計に影響することが知られている別の問題である。これは、流量計を通って流体流れが停止するが、気泡または固体粒子が依然として流管内に残っている場合、または流管が部分的に満たされている場合（通常、バッチの開始時または終了時）に発生することがある。この状態では、実際に流体流れが停止しても、流量計は流れを記録し続けることがある。これは、気泡または粒子の分布が発生して十分な非対称質量またはセンサーアセンブリの減衰が発生し、デルタｔが所定の低流量閾値を超えて上昇して実際には流量合計が発生しない場合に特に発生する。この偽流れが継続し、流れが再開するまで合計が行われるであろう。したがって、偽流量値が小さくても、バッチ間の時間が長いと、大きな合計が発生するであろう。
【０００６】
記載のように、非対称質量または減衰により、所定の低流量閾値を超えるデルタｔが発生すると、偽流れが発生する。これらの場合に合計を停止するためのいくつかの方法が既に存在する。例えば、低流量閾値を上げると助けになり得るが、多くの場合、偽流れが大きすぎて効果的ではない。さらに、低流量閾値を高くすると、実際の流れの合計を妨げる可能性がる。別の解決策は、密度が特定の範囲から外れると合計を停止する密度カットオフを実行することである。ただし、混入ガスが存在する場合、密度が常に期待通りに機能するとは限らない。駆動ゲインを使用して混入ガスを検出することもできるが、駆動ゲインは、偽合計が有害なレベルで発生している場合でも、少ししか増加しないことがある。これは、大きな偽流れを引き起こすのに少しの非対称減衰しか必要としないが、高い駆動ゲインを引き起こすには全体的な減衰の大きなレベルが必要だからである。
【０００７】
偽流れを検出できるコリオリ流量計と追加の装置をペアにすることが提案されている。液体検出スイッチなどの装置は、コリオリ流量計への入力を提供して、合計器を無効にして制御する。液体検出器が空の状態を検出すると、装置は、ゼロ信号をコリオリ流量計に送信し、流量合計が停止する。ただし、この解決策には複雑なシステムと追加の装置が必要であり、これは、ほとんどの用途では望ましくない。
【発明の概要】
【発明が解決しようとする課題】
【０００８】
したがって、外部装置を使用せずに偽合計を検出および防止する振動流量計に対する当該技術分野の必要性が残っている。
【課題を解決するための手段】
【０００９】
本明細書の実施形態は、偽合計を検出および防止するために使用される方法および装置を提供し、当該技術分野における進歩が達成される。いくつかの実施形態は、左右のピックオフ電圧および／または左右の計器検証結果を比較する。
【００１０】
［概要］
一実施形態によれば、流量計を動作させるための方法が提供される。本方法は、流量計にプロセス流体を流すステップと、プロセス流体の質量流量を測定するステップとを含む。流量計を流れるプロセス流体が合計される。第１の流量計パラメータが測定され、第１の流量計パラメータが所定の閾値と所定値だけ異なる場合に、測定された質量流量はゼロに設定される。第１の流量計パラメータが所定の閾値と所定値だけ異なる場合に、合計は停止される。
【００１１】
一実施形態によれば、プロセス流体を受け取るように構成された流量計の計器エレクトロニクスが提供される。計器エレクトロニクスは、流量計の流量計アセンブリと通信し、振動応答を受信するように構成されたインターフェース、およびインターフェースに結合された処理システムを備える。計器エレクトロニクスは、流量計内のプロセス流体の測定された質量流量を決定し、プロセス流体を合計し、第１の流量計パラメータを測定し、第１の流量計パラメータが所定の閾値と所定値だけ異なる場合に、測定された質量流量をゼロに設定し、第１の流量計パラメータが所定の閾値と所定値だけ異なる場合に、合計を停止するように構成された偽合計ルーチンを含む。
【００１２】
［発明の態様］
一態様によれば、流量計を動作させるための方法は、プロセス流体を流量計に流すステップと、プロセス流体の質量流量を測定するステップと、流量計を流れるプロセス流体を合計するステップと、第１の流量計パラメータを測定するステップと、第１の流量計パラメータが所定の閾値と所定値だけ異なる場合に、測定された質量流量をゼロに設定するステップと、第１の流量計パラメータが所定の閾値と所定値だけ異なる場合に、合計を停止するステップとを含む。
【００１３】
好ましくは、本方法は、第２の流量計パラメータを測定するステップを含み、第１の流量計パラメータが所定の閾値と所定値だけ異なる場合に、測定された質量流量をゼロに設定するステップは、第１の流量計パラメータおよび第２の流量計パラメータが各々、それぞれの所定の閾値とそれぞれの所定値だけ異なる場合に、測定された質量流量をゼロに設定するステップを含む。第１の流量計パラメータが所定の閾値と所定値だけ異なる場合に、合計を停止するステップは、第１の流量計パラメータおよび第２の流量計パラメータが各々、それぞれの所定の閾値とそれぞれの所定値だけ異なる場合に、測定された質量流量をゼロに設定するステップを含む。
【００１４】
好ましくは、第１または第２の流量計パラメータは駆動電流を含む。
好ましくは、第１または第２の流量計パラメータはデルタｔを含む。
好ましくは、第１または第２の流量計パラメータは、第１のピックオフセンサーと第２のピックオフセンサーとの間の電圧差を含む。
好ましくは、第１または第２の流量計パラメータは、第１のピックオフセンサーと第２のピックオフセンサーとの間で測定され計算された流管質量差を含む。
好ましくは、第１または第２の流量計パラメータは、第１のピックオフセンサーと第２のピックオフセンサーとの間で測定され計算された管剛性差を含む。
好ましくは、第１または第２の流量計パラメータは密度を含む。
好ましくは、第１または第２の流量計パラメータは駆動ゲインを含む。
【００１５】
一態様によれば、流量計用の計器エレクトロニクスは、プロセス流体を受け取るように構成され、計器エレクトロニクスは、流量計の流量計アセンブリと通信し、振動応答を受信するように構成されたインターフェースと、流量計内のプロセス流体の測定された質量流量を決定し、プロセス流体を合計し、第１の流量計パラメータを測定し、第１の流量計パラメータが所定の閾値と所定値だけ異なる場合に、測定された質量流量をゼロに設定し、第１の流量計パラメータが所定の閾値と所定値だけ異なる場合に、合計を停止するように構成された偽合計ルーチンを含む、インターフェースに結合された処理システムと、を含む。
【００１６】
好ましくは、偽合計ルーチンは、第２の流量計パラメータを測定するようにさらに構成される。第１の流量計パラメータが所定の閾値と所定値だけ異なる場合に、測定された質量流量をゼロに設定することは、第１の流量計パラメータおよび第２の流量計パラメータが各々、それぞれの所定の閾値とそれぞれの所定値だけ異なる場合に、測定された質量流量をゼロに設定することを含む。第１の流量計パラメータが所定の閾値と所定値だけ異なる場合に、合計を停止することは、第１の流量計パラメータおよび第２の流量計パラメータが各々、それぞれの所定の閾値とそれぞれの所定値だけ異なる場合に、測定された質量流量をゼロに設定することを含む。
【００１７】
好ましくは、第１または第２の流量計パラメータは駆動電流を含む。
好ましくは、第１または第２の流量計パラメータはデルタｔを含む。
好ましくは、第１または第２の流量計パラメータは、第１のピックオフセンサーと第２のピックオフセンサーとの間の電圧差を含む。
好ましくは、第１または第２の流量計パラメータは、第１のピックオフセンサーと第２のピックオフセンサーとの間で測定され計算された流管質量差を含む。
好ましくは、第１または第２の流量計パラメータは、第１のピックオフセンサーと第２のピックオフセンサーとの間で測定され計算された管剛性差を含む。
好ましくは、第１または第２の流量計パラメータは密度を含む。
好ましくは、第１または第２の流量計パラメータは駆動ゲインを含む。
【図面の簡単な説明】
【００１８】
【図１】センサーアセンブリと計器エレクトロニクスとを含む流量計を示す図である。
【図２】一実施形態による計器エレクトロニクスのブロック図である。
【図３】注入空気の関数として流量計駆動電流を示すグラフである。
【図４】注入空気の関数として流量計デルタｔを示すグラフである。
【図５】注入空気の関数として流量計のピックオフ電圧を示すグラフである。
【図６】注入空気の関数として流量計で測定された流管質量を示すグラフである。
【図７】注入空気の関数として流量計で測定された流管剛性を示すグラフである。
【図８】一実施形態による偽合計軽減の方法を示すフローチャートである。
【図９】代替の実施形態による偽合計軽減の方法を示すフローチャートである。
【発明を実施するための形態】
【００１９】
図１から９および以下の説明は、本発明の最良の形態を作成および使用する方法を当業者に教示するための具体例を示す。発明の原理を教示する目的で、いくつかの従来の態様は簡略化または省略されている。当業者は、本発明の範囲内に入るこれらの例からの変形を理解するであろう。当業者は、以下に説明する特徴を種々の方法で組み合わせて本発明の複数の変形を形成できることを理解するであろう。その結果、本発明は、以下に説明された具体例に限定されず、特許請求の範囲およびそれらの均等物によりのみ限定される。
【００２０】
図１は、一実施形態による流量計５を示す。流量計５は、センサーアセンブリ１０および計器エレクトロニクス２０を備える。計器エレクトロニクス２０は、リード線１００を介してセンサーアセンブリ１０に接続され、密度、質量流量、体積流量、合計質量流量、温度の１つ以上の測定値あるいは他の測定値または情報を通信経路２６によって提供するように構成される。流量計５は、コリオリ質量流量計または他の振動流量計を含むことができる。流量計５は、ドライバ、ピックオフセンサー、流導管または振動の動作モードの数にかかわらず、任意の方法の流量計５を含むことができることは当業者には明らかとなるはずである。
【００２１】
センサーアセンブリ１０は、一対のフランジ１０１および１０１’、マニホールド１０２および１０２’、ドライバ１０４、ピックオフセンサー１０５および１０５’ならびに流導管１０３Ａおよび１０３Ｂを含む。ドライバ１０４ならびにピックオフセンサー１０５および１０５’は、流導管１０３Ａおよび１０３Ｂに接続される。
【００２２】
フランジ１０１および１０１’は、マニホールド１０２および１０２’に固定される。いくつかの実施形態では、マニホールド１０２および１０２’は、スペーサ１０６の両端に固定できる。スペーサ１０６は、マニホールド１０２と１０２’との間の間隔を維持する。センサーアセンブリ１０が測定中のプロセス流体を運ぶパイプライン（図示せず）に挿入されると、プロセス流体はフランジ１０１を通ってセンサーアセンブリ１０に入り、入口マニホールド１０２を通過する。入口マニホールド１０２では、プロセス流体の全量が、流導管１０３Ａおよび１０３Ｂに入るように導かれ、流導管１０３Ａおよび１０３Ｂを通って流れ、出口マニホールド１０２’内に戻り、そこでフランジ１０１’を通ってセンサーアセンブリ１０を出る。
【００２３】
プロセス流体は液体を含むことができる。プロセス流体はガスを含むことができる。プロセス流体は、例えば、限定なく、混入ガスおよび／または混入固体を含む液体などの多相流体を含むことができる。流導管１０３Ａおよび１０３Ｂは、それぞれ曲げ軸Ｗ−ＷおよびＷ’−Ｗ’の周りに実質的に同じ質量分布、慣性モーメントおよび弾性率を有するように選択され、入口マニホールド１０２および出口マニホールド１０２’に適切に取り付けられる。流導管１０３Ａおよび１０３Ｂは、マニホールド１０２および１０２’から外向きに本質的に平行に延びている。
【００２４】
流導管１０３Ａおよび１０３Ｂは、流量計５の第１の位相外れ曲げモードと呼ばれる所で、それぞれ曲げ軸ＷおよびＷ’の周りに反対方向にドライバ１０４により駆動される。ドライバ１０４は、流導管１０３Ａに取り付けられた磁石および流導管１０３Ｂに取り付けられた対向コイルなどの多くの周知の構成のうちの１つを含むことができる。対向コイルに交流を流して、両方の導管を振動させる。適切な駆動信号は、計器エレクトロニクス２０により、リード線１１０を介してドライバ１０４に印加される。他のドライバ装置が考えられ、本説明および特許請求の範囲内にある。
【００２５】
計器エレクトロニクス２０は、それぞれリード線１１１および１１１’でセンサー信号を受信する。計器エレクトロニクス２０は、リード線１１０上に駆動信号を生成し、リード線１１０は、ドライバ１０４に流導管１０３Ａおよび１０３Ｂを振動させる。他のセンサー装置が考えられ、本説明および特許請求の範囲内にある。
【００２６】
計器エレクトロニクス２０は、とりわけ流量を計算するために、ピックオフセンサー１０５および１０５’からの左右の速度信号を処理する。通信経路２６は、計器エレクトロニクス２０がオペレータまたは他の電子システムとインターフェースで接続することを可能にする入力手段および出力手段を提供する。図１の説明は、単に流量計の動作の一例として提供されており、本発明の教示を限定することを意図するものではない。実施形態では、１つ以上のドライバおよびピックオフを有する単管流量計および多管流量計が考えられる。
【００２７】
一実施形態の計器エレクトロニクス２０は、流導管１０３Ａおよび１０３Ｂを振動させるように構成される。振動は、ドライバ１０４により実行される。計器エレクトロニクス２０は、さらに結果として生じる振動信号をピックオフセンサー１０５および１０５’から受信する。振動信号は、流導管１０３Ａおよび１０３Ｂの振動応答を含む。計器エレクトロニクス２０は、振動応答を処理し、応答周波数および／または位相差を決定する。計器エレクトロニクス２０は、振動応答を処理し、プロセス流体の質量流量および／または密度を含む１つ以上の流量測定値を決定する。他の振動応答特性および／または流量測定値が考えられ、本説明および特許請求の範囲内にある。
【００２８】
一実施形態では、流導管１０３Ａおよび１０３Ｂは、図のように、実質的にオメガ形（Ω形）の流導管を含む。あるいは、他の実施形態では、流量計は、実質的に真っ直ぐな流導管、Ｕ字形の導管、デルタ形の導管などを含むことができる。追加の流量計の形状および／または構成が使用でき、本説明および特許請求の範囲内である。
【００２９】
図２は、一実施形態による流量計５の計器エレクトロニクス２０のブロック図である。動作中、流量計５は、質量流量、体積流量、個々の流れ成分の質量流量および体積流量ならびに例えば体積流量も質量流量も含む全流量の測定値または平均値の１つ以上を含む出力できる種々の測定値を提供する。
【００３０】
流量計５は振動応答を生成する。振動応答は、計器エレクトロニクス２０により受信および処理されて、１つ以上の流体測定値を生成する。値は、監視、記録、保存、合計および／または出力できる。
【００３１】
計器エレクトロニクス２０は、インターフェース２０１、インターフェース２０１と通信する処理システム２０３、および処理システム２０３と通信する記憶システム２０４を含む。これらの構成要素は別個のブロックとして示されているが、計器エレクトロニクス２０は、統合され、および／または別個の構成要素の種々の組合せで構成され得ることを理解されたい。
【００３２】
インターフェース２０１は、流量計５のセンサーアセンブリ１０と通信するように構成される。インターフェース２０１は、リード線１００（図１参照）に結合し、例えばドライバ１０４、ピックオフセンサー１０５および１０５’ならびに温度センサー（図示せず）と信号を交換するように構成されてもよい。インターフェース２０１は、外部装置などと通信経路２６によって通信するようにさらに構成されてもよい。
【００３３】
処理システム２０３は、任意の方法の処理システムを含むことができる。処理システム２０３は、流量計５を動作させるために、記憶されたルーチンを取り出して実行するように構成される。記憶システム２０４は、流量計ルーチン２０５、質量加重密度／粘度ルーチン２０９、質量加重温度ルーチン２１１、ガス混入検出ルーチン２１３、測定信頼ルーチン２１５および偽合計ルーチン２１７などのルーチンを記憶できる。測定信頼ルーチン２１５および／または偽合計ルーチン２１７は、左右のピックオフセンサー１０５、１０５’間の例えば駆動ゲイン３０６、振動周波数、振動振幅、電力、温度２２４などの任意の信号を比較できる。他の測定／処理ルーチンが考えられ、本説明および特許請求の範囲内にある。記憶システム２０４は、測定値、受信値、作業値および他の情報を記憶できる。いくつかの実施形態では、記憶システムは、質量流量（ｍ）２２１、密度（ρ）２２５、粘度（μ）２２３、温度（Ｔ）２２４、駆動ゲイン３０６、駆動ゲイン閾値３０３、ガス混入閾値２４４、ガス混入率２４８および当該技術分野で知られている他の変数を記憶する。
【００３４】
流量計ルーチン２０５は、流体定量および流量測定値を生成および記憶できる。これらの値は、実質的に瞬間的な測定値を含むか、合計値または累積値を含むことができる。例えば、流量計ルーチン２０５は、質量流量測定値を生成し、それらを例えば記憶システム２０４の質量流量２２１記憶装置に記憶できる。流量計ルーチン２０５は、例えば密度２２５の測定値を生成し、それらを密度２２５記憶装置に記憶できる。質量流量２２１および密度２２５の値は、前記のように、また当該技術分野で知られているように、振動応答から決定される。質量流量および他の測定値は、実質的に瞬間的な値を含むことができ、サンプルを含むことができ、時間間隔にわたる平均値を含むことができ、または時間間隔にわたる累積値を含むことができる。時間間隔は、特定の流体状態、例えば液体のみの流体状態、あるいは液体および混入気体を含む流体状態が検出される時間のブロックに対応するように選択できる。さらに、他の質量流量および関連する定量が考えられ、本説明および特許請求の範囲内にある。
【００３５】
記載のように、駆動ゲインは、流れなし／偽合計状態を示す信号として利用できる。駆動ゲインの閾値を使用して、流れの期間と流れなしの期間とを区別できる。本明細書で提供される実施形態の目的のために、駆動ゲインという用語は、いくつかの実施形態では、駆動電流、ピックオフ電圧または流導管１０３Ａ、１０３Ｂを特定の振幅で駆動するのに必要な電力量を示す測定または導出された任意の信号を指し得ることに留意されたい。関連する実施形態では、ノイズレベル、信号の標準偏差、減衰関連測定値、および流れがない状態を検出するための当該技術分野で知られているあらゆる他の手段など、多相流れを検出するために利用されるあらゆる計量(metric)を含むように駆動ゲインという用語を拡張できる。これらの計量のいずれかをピックオフセンサー１０５および１０５’にわたって比較して、流れがない状態を検出できる。
【００３６】
一般に、偽合計の原因は非対称性であり、したがって、本明細書で提供される実施形態は、非対称性の大きさを報告して偽流れ状態を検出する診断アプローチを利用する。一実施形態では、診断は、ピックオフセンサー１０５と１０５’との間の電圧の差に関係し、これは基本的にセンサーアセンブリ１０の入口と出口との間の振動の相対振幅の測定である。
【００３７】
センサーアセンブリ１０の入口側と出口側で測定できるピックオフ電圧のように、計器検証は、センサーアセンブリ１０の入口側と出口側で剛性および／または質量の測定値を提供する。非対称の流導管のコーティングの肉盛などの非対称性は、左右の計器検証測定で検出できることが示されており、この原理に基づいて、剛性と質量の相対測定を利用して偽流れを検出できる。
【００３８】
図３から７を参照すると、グラフ３００、４００、５００、６００および７００は、偽流量合計を特徴付けるために実施された実験を示す。提供された値は、テスト中の特定の流量計の単なる例であり、サイズ、構成、形状、テスト流体などに基づいて異なる流量計が異なる値を提供する可能性が高いことに留意されたい。流量計５を垂直に取り付け、気泡が存在しないように水で完全に満たした。既知の量の空気が、１つのピックオフセンサー１０５の近くに注入されたが、他のピックオフセンサー１０５’の近くには注入されなかった。流量計５の形状および取り付け方向により、注入されたガスは、ピックオフセンサー１０５の近くに存在し、したがって、通常、非常に再現不可能な問題を研究するための再現可能な実験セットアップを作成した。
【００３９】
可能性のある非対称性を研究するために、増加する量のガス注入量３０２（ｘ軸）で測定が行われた。図３では、駆動電流がグラフ３００の３０４（ｙ軸）で測定され、デルタｔ４０４が図４のグラフ４００で測定された。予想通り、駆動電流３０４もデルタｔ４０４も、空気注入により引き起こされる減衰の増加とともに増加する。注入された約６立方センチメートルの空気では、気泡の空隙が流導管全体の断面を占めているため、減衰のさらなる増加はなく、さらなる分離はないという結果になる。大きな流量計または異なる気泡分布シナリオでは、気泡の分離が空隙率とともに増加し続けるため、駆動電流とデルタｔは増加し続けるであろう。
【００４０】
駆動電流３０４は、４ｍＡから１３ｍＡまでわずかにしか増加しないことに留意されたい。これは、粘度や温度などの変化により引き起こされる可能性がある、わずかな増加である。ガスの正常な検出は、例えば、ちょうど７５ｍＡまでなど、駆動電流が大幅に増加すると見られる。駆動電流はほとんど増加しないが、デルタｔ４０４は大幅に増加する。
【００４１】
テスト中の流量計の低流量閾値４０６は、デルタｔに関して、図４のグラフに示されている。この低流量閾値４０６は０．５ポンド／分の流量に相当する。参考として、１．６×１０-6秒は１０ポンド／分の流量に相当する。偽合計を検出する方法として駆動ゲインまたは駆動電流を使用することが可能であることは明らかである。しかし、それだけでは特に正確ではない可能性がある。流れは対称性に非常に敏感であるが、駆動ゲインはこのような感度を示さないため、非対称減衰がほとんどないことが、大きな偽流れを生じさせるからである。
【００４２】
図５は、ピックオフセンサー１０５とピックオフセンサー１０５’との間でピックオフ電圧５０４（左のｙ軸）を比較するグラフ５００を示す。空気を注入しなくても、約０．００５ｍＶ（１．５％）の電圧オフセットがあることが明かであろう。これは予想されることであり、製造中の磁石の強さやコイルの巻線数のわずかな違いによるものである。このシフトは、非対称性と偽流れを検出する目的で、校正中または流量計を現場に設置した後に基準化することができる。さらに、電圧は互いに追跡している(track))ように見える。一方が上昇すると、もう一方も上昇する。温度や他の状態のわずかな変化が、周波数、磁石の強度、およびピックオフセンサー１０５とピックオフセンサー１０５’に等しく影響する他のパラメータの変化につながるため、これは予想される。
【００４３】
空気が注入されると、ピックオフセンサー１０５とピックオフセンサー１０５’との間の広がりが大きくなる。トレース５０６は、ピックオフセンサー１０５とピックオフセンサー１０５’との間の計算されたパーセンテージ差５０８（右のｙ軸）を表す。ピックオフセンサー１０５からピックオフセンサー１０５’へのピックオフ電圧の３％シフト（１．５％から４．５％）が観察される。これはノイズを介して簡単に測定可能であり、明らかに非対称性と偽合計を予測できる診断である。一実施形態では、センサーアセンブリ１０は、ピックオフ電圧ではなく一定の電圧／周波数に駆動され得るため、ピックオフ電圧だけでなくｍＶ／Ｈｚの比が利用される。このｍＶ／Ｈｚ値は、ピックオフ電圧を測定された駆動周波数で割ることにより求められる。これには、時間とともに予想される温度および密度による周波数変動を基準化することができるという利点がある。図示のテスト中に温度と密度は変化しないため、ｍＶ／Ｈｚの結果は図示のピックオフ結果と同じである。
【００４４】
計器検証診断（流管質量および流管剛性測定値を含む）も、偽合計の検出および防止に使用することが考えられる。ピックオフ電圧のように、計器検証診断には、ピックオフセンサー１０５とピックオフセンサー１０５’との間で独立した測定値を提供するという利点があり、したがって、非対称性の検出が可能である。
【００４５】
図６で示すように、流管１０５、１０５’の質量測定値６０４（左のｙ軸）を示すグラフ６００は、流量計５の非対称性を明らかに示す。トレース６０６は、質量シフトのパーセント（右のｙ軸）を示す。剛性測定値７０４（ｙ軸）は、図７のグラフ７００で示すように、同様に挙動する。トレース７０６は、剛性シフトのパーセントを示す（右のｙ軸）。ピックオフセンサー１０５とピックオフセンサー１０５’との間で管質量も管剛性も顕著なシフトが明らかであり、したがって、偽合計を検出するためのさらに別の適切な手段である。
【００４６】
したがって、偽合計の検出可能性は、入口ピックオフ１０５と出口ピックオフ１０５’との間のピックオフ電圧差を使用するか、または入口ピックオフ１０５から出口ピックオフ１０５’までの計算された質量差および／または剛性差により実現される。これらの診断は、簡単に測定され、駆動ゲインよりも非対称性に敏感である。これは、混入ガス検出のための通常の先行技術のアプローチである。
【００４７】
図８を参照すると、一実施形態によれば、偽合計を識別するための方法が提供される。ステップ８００では、入口ピックオフ１０５と出口ピックオフ１０５’との間の電圧差が決定される。ステップ８０２では、この差が所定の閾値と比較される。入口ピックオフ１０５と出口ピックオフ１０５’との間の差が所定の閾値未満の場合、ステップ８００を繰り返してもよい。ただし、入口ピックオフ１０５と出口ピックオフ１０５’との差が所定の閾値よりも大きいと、ステップ８０４に示すように、測定された質量流量をゼロに設定し合計を停止する必要がある。一実施形態では、その後、ステップ８００を繰り返す必要がある。閾値は、計器ごとに異なり、さらに用途ごとに異なる場合があることに留意されたい。
【００４８】
上記のように、一実施形態では、上記のピックオフ測定値の代わりに、またはそれに加えて、計器検証診断（質量または剛性）を使用してもよい。一実施形態では、非対称性の原因が解析される。混入ガスは駆動ゲインの増加と密度の低下につながるため、これらのパラメータの組合せを使用して、導管コーティングベースの非対称性と比較して、より具体的に偽合計を識別できる。
【００４９】
図９を参照すると、一実施形態によれば、偽合計を識別するための別の方法が提供される。ステップ９００では、入口ピックオフ１０５と出口ピックオフ１０５’との間の電圧差が決定される。ステップ９０２では、この差が所定の閾値と比較される。入口ピックオフ１０５と出口ピックオフ１０５’との差が所定の閾値未満の場合、ステップ９００を繰り返してもよい。ただし、入口ピックオフ１０５と出口ピックオフ１０５’との差が所定の閾値よりも大きいと、ステップ９０４のように、プロセス流体密度が所定の閾値未満かどうかを判断する必要がある。プロセス流体密度が所定の閾値未満であると、ステップ９０６のように、駆動ゲインが所定の閾値よりも大きいかどうかを判断する必要がある。駆動ゲインが所定の閾値よりも大きいと、ステップ９０８に示すように、測定された質量流量をゼロに設定し合計を停止する必要がある。
【００５０】
これらの実施形態では、駆動ゲインがその公称値を超えて増加したが、密度がその公称値から減少した状況を検出できる。これは、流管の非対称性が検出されない期間に見られる場合がある。これらの条件が満たされ、ピックオフまたは計器検証の非対称性が検出された場合のみ、合計器の停止が開始される。偽合計は非常に一般的であるが、コーティングと腐食は比較的まれであるため、一実施形態では、非対称はコーティングまたは腐食でなく偽合計に由来すると仮定するのが適切である。
【００５１】
一実施形態では、ステップ９０４を省略できることに留意されたい。一実施形態では、ステップ９０６を省略できることに留意されたい。一実施形態では、ステップ９０４および９０６を省略し、管質量比較に置き換えることができることに留意されたい。一実施形態では、ステップ９０４および９０６を省略し、管剛性比較に置き換えることができることに留意されたい。一実施形態では、ステップ９０２では、電圧のみでなくピックオフ振幅値（例えば、ｍＶ／Ｈｚ）を使用できることに留意されたい。一実施形態では、ステップ８０２および９０２は、デルタｔを所定のデルタｔ値と比較するステップに追加することができることに留意されたい。一実施形態では、ステップ８０２および９０２は、デルタｔを所定のデルタｔ値と比較するステップの代わりになることができることに留意されたい。これらのステップのうち、任意の組合せが考えられる。一実施形態では、ステップ９０８に示すように、測定された質量流量がゼロに設定され、合計が停止されると、その後ステップ８００が繰り返される。
【００５２】
上記の実施形態の詳細な説明は、本発明の範囲内にあると発明者により考えられたすべての実施形態の網羅的な説明ではない。実際に、当業者は、上記の実施形態の特定の要素を種々組み合わせて、または排除して、さらなる実施形態を作成でき、このようなさらなる実施形態は、本発明の範囲および教示内に入ることを認識するであろう。上記の実施形態を全体的または部分的に組み合わせて、本発明の範囲および教示内で追加の実施形態を作成できることも当業者には明らかであろう。
【００５３】
したがって、本発明の特定の実施形態および実施例は、例示目的で本明細書に記載されているが、当業者が認識するように、本発明の範囲内で種々の同等の修正が可能である。本明細書で提供される教示は、上で説明され、添付の図面に示されたもの以外の実施形態に適用され得る。したがって、本発明の範囲は、以下の特許請求の範囲から決定される。
【図１】
2020530559.tif 000003
【図２】
2020530559.tif 000004
【図３】
2020530559.tif 000005
【図４】
2020530559.tif 000006
【図５】
2020530559.tif 000007
【図６】
2020530559.tif 000008
【図７】
2020530559.tif 000009
【図８】
2020530559.tif 000010
【図９】
2020530559.tif 000011
【国際調査報告】
2020530559.tif 000012
2020530559.tif 000013
2020530559.tif 000014